(57)【要約】【課題】ケーブル収納アセンブリのケーブルキャリアの弛みの発生を防止することができるケーブル収納アセンブリを提供する。【解決手段】ケーブルキャリア３内の連続ケーブル収納スペース１２を囲む内壁面３ＡとケーブルＣの束５との間に形成される余分なスペースＳ内に屈曲性と弾力性を有する１本以上の長尺状補強部材１３を、ケーブルキャリア３に発生する弛みを元の状態に戻すように配置する。【選択図】図１
2019071747.tif 000002
【特許請求の範囲】
【請求項１】
内部にケーブル収納部が形成された複数のケーブル収納ユニットがそれぞれ関節軸を中心に揺動自在に連結され、連結された前記複数のケーブル収納ユニット内の複数の前記ケーブル収納部が連通して連続ケーブル収納スペースが形成されている屈曲性のあるケーブルキャリアと、
前記ケーブルキャリアの前記連続ケーブル収納スペース内に収納されたケーブルの束とからなるケーブル収納アセンブリであって、
前記ケーブルキャリアの前記連続ケーブル収納スペースを囲む内壁面と前記ケーブルの束との間に形成される余分なスペース内にまたは前記ケーブルキャリアの外壁面に添って、屈曲性と弾力性を有する１本以上の長尺状補強部材が、前記ケーブルキャリアに発生する弛みを元の状態に戻すように配置されていることを特徴するケーブル収納アセンブリ。
【請求項２】
前記１本以上の長尺状補強部材の前記弾性力は、前記ケーブルキャリアが長期に使用されて発生する弛みを、弛みが発生する前の状態に戻すように定められている請求項１に記載のケーブル収納アセンブリ。
【請求項３】
前記１本以上の長尺状補強部材が、前記ケーブルキャリアの長手方向に非拘束状態で前記余分なスペース内に配置されている請求項１または２に記載のケーブル収納アセンブリ。
【請求項４】
前記１本以上の長尺状補強部材の一部が前記ケーブルキャリアの前記内壁または前記ケーブルの束に固定されている請求項１または２に記載のケーブル収納アセンブリ。
【請求項５】
前記ケーブルキャリアの前記長手方向の両側からそれぞれ前記１本以上の長尺状補強部材が、前記余分なスペース内に挿入されている請求項１，２または４に記載のケーブル収納アセンブリ。
【請求項６】
１本の前記長尺状補強部材が、前記スペースの前記長手方向に延びる仮想中心線に沿って配置されている請求項１または２に記載のケーブル収納アセンブリ。
【請求項７】
２本の前記長尺状補強部材が、前記余分なスペースの前記長手方向に延びる仮想中心線を含み且つ前記弛みが発生する方向に延びる仮想平面に対して対称的な関係になるように、前記余分なスペース内または前記外壁面に添って配置されている請求項１または２に記載のケーブル収納アセンブリ。
【請求項８】
前記１本以上の長尺状補強部材は、絶縁樹脂またはゴム製の中空部材から構成されている請求項１乃至７のいずれか１項に記載のケーブル収納アセンブリ。
【請求項９】
前記１本以上の長尺状補強部材は、前記ケーブルの被覆材料と同種類の材料によって形成されている請求項１乃至８のいずれか１項に記載のケーブル収納アセンブリ。
【請求項１０】
前記１本以上の長尺状補強部材が、前記ケーブルキャリアの前記外壁面に添って配置されており、
前記１本以上の長尺状補強部材が、金属製の板バネ若しくは金属線材の撚り線または絶縁樹脂製の板バネまたは樹脂線材の撚り線からなる請求項１に記載のケーブル収納アセンブリ。
【請求項１１】
前記１本以上の長尺状補強部材は、内部に流体を充填することが可能な中空部材からなり、
前記中空部材への前記流体の充填量を調整する充填量調整装置を更に備えている請求項１に記載のケーブル収納アセンブリ。
【請求項１２】
内部にケーブル収納部が形成された複数のケーブル収納ユニットがそれぞれ関節軸を中心に揺動自在に連結され、連結された前記複数のケーブル収納ユニット内の複数の前記ケーブル収納部が連通して連続ケーブル収納スペースが形成されているケーブルキャリアと、
前記ケーブルキャリアの前記連続ケーブル収納スペース内に収納されたケーブルの束とからなるケーブル収納アセンブリの修復方法であって、
前記ケーブルキャリア内の前記連続ケーブル収納スペースの内壁と前記ケーブルの束との間に形成される余分なスペース内にまたは前記ケーブルキャリアの外壁面に添って、屈曲性と弾力性を有する１本以上の長尺状補強部材を、前記ケーブルキャリアに発生する弛みを元の状態に戻すように配置することを特徴するケーブル収納アセンブリの修復方法。
【請求項１３】
前記１本以上の長尺状補強部材は、内部に流体を充填することが可能な中空部材からなり、
前記中空部材への前記流体の充填量を調整する充填量調整装置を設け、
前記ケーブルキャリアが長期に使用されて発生する弛みを、弛みが発生する前の状態に戻すように前記充填量調整装置を用いて前記充填量を調整することを特徴とする請求項１２に記載のケーブル収納アセンブリの修復方法。
【発明の詳細な説明】
【技術分野】
【０００１】
本発明は、ケーブルキャリアにケーブルの束が収納されてなるケーブル収納アセンブリ及びその修復方法に関するものである。
【背景技術】
【０００２】
特開昭６３−３６１０号公報（特許文献１）または特開２０００−２２７１４５号公報（特許文献２）には、内部にケーブル収納部が形成された複数のケーブル収納ユニットがそれぞれ関節軸を中心に揺動自在に連結され、連結された複数のケーブル収納ユニット内の複数のケーブル収納部が連通して連続ケーブル収納スペースが形成されている屈曲性のあるケーブルキャリアまたはこのケーブルキャリアの余分な連続ケーブル収納スペース内に収納されたケーブルの束とからなる従来のケーブル収納アセンブリが開示されている。
【先行技術文献】
【特許文献】
【０００３】
【特許文献１】特開昭６３−３６１０号公報
【特許文献２】特開２０００−２２７１４５号公報
【発明の概要】
【発明が解決しようとする課題】
【０００４】
既存のケーブル収納アセンブリでは、ケーブルキャリアに屈曲性を持たせる必要があることから、ケーブルキャリアを構成する複数のケーブル収納ユニットの剛性をあまり高くすることができない。そのため長期にわたってケーブル収納アセンブリが使用されると、複数のケーブル収納ユニットの強度が低下して、ケーブルキャリアが弛むようになる現象が発生する。このような弛みが発生すると、動作中に弛んだケーブルキャリアが周囲の部材にあたり騒音の原因となる。従来、このような現象が発生した場合には、ケーブルキャリアを交換するか、ケーブル収納アセンブリそのものを交換することが行われている。しかしながらこのよう交換には、費用がかかるだけでなく、部品調達と長い作業時間を必要とする。
【０００５】
本発明の目的は、ケーブル収納アセンブリのケーブルキャリアの弛みの発生を防止することができるケーブル収納アセンブリを提供することにある。
【０００６】
本発明の他の目的は、ケーブル収納アセンブリのケーブルキャリアに弛みが発生した場合に、その弛みを簡単に修復することができるケーブル収納アセンブリの修復方法を提供することにある。
【課題を解決するための手段】
【０００７】
本発明は、内部にケーブル収納部が形成された複数のケーブル収納ユニットがそれぞれ関節軸を中心に揺動自在に連結され、連結された前記複数のケーブル収納ユニット内の複数のケーブル収納部が連通して連続ケーブル収納スペースが形成されている屈曲性のあるケーブルキャリアと、ケーブルキャリアの連続ケーブル収納スペース内に収納されたケーブルの束とからなるケーブル収納アセンブリを改良の対象とする。本発明においては、ケーブルキャリア内の連続ケーブル収納スペースを囲む内壁面とケーブルの束との間に形成される余分なスペース内にまたはケーブルキャリアの外壁面に添って、屈曲性と弾力性を有する１本以上の長尺状補強部材を、ケーブルキャリアに発生する弛みを元の状態に戻すように配置する。本願明細書において、「ケーブル」には、電気ケーブルだけでなくエアーを供給するエアーパイプも含まれる。
【０００８】
このような構成を採用すると、１本以上の長尺状補強部材の弾力性により、ケーブルキャリアに発生する弛みを元の状態に戻すことができるので、長期にわたって使用してもケーブルキャリアを交換する必要がない。なお本発明は、新規のケーブル収納アセンブリのケーブルキャリアに対して予防的に適用してもよいが、長期の使用によりケーブルキャリアに発生した弛みを修復するために事後的に適用してもよいのは勿論である。１本以上の長尺状補強部材の長手方向と直交する方向の断面の輪郭形状は任意であり、円形、楕円形、三角形、矩形等なんでもよい。
【０００９】
１本以上の長尺状補強部材の弾性力は、ケーブルキャリアが長期に使用されて発生する弛みを、弛みが発生する前の状態に戻すように定められている。
【００１０】
１本以上の長尺状補強部材は、その機能（弛みを前の状態に戻すという機能）の点からみれば、ケーブルキャリアの長手方向に非拘束状態で余分なスペース内に配置されていてもよいし、１本以上の長尺状補強部材の一部がケーブルキャリアの内壁に固定されたり、ケーブルの束に固定されていてもよい。なお市販のケーブル収納ユニットは、周壁の一部に開閉壁部分を有しているので、長尺状補強部材の固定作業はこの開閉壁部部分を開状態にすることにより簡単に行うことができる。
【００１１】
またケーブルキャリアの長手方向の両側からそれぞれ１本以上の長尺状補強部材が、余分なスペース内に挿入されてもよい。
【００１２】
なお１本の長尺状補強部材を用いる場合には、１本の長尺状補強部材は、余分なスペースの長手方向に延びる仮想中心線に沿って配置されているのが好ましい。このようにすれば、１本の長尺状補強部材がケーブル収納アセンブリの形状のバランスを不必要に崩すことを防止できる。
【００１３】
２本の長尺状補強部材が、余分なスペースの長手方向に延びる仮想中心線を含み且つ弛みが発生する方向に延びる仮想平面に対して対称的な関係になるように、余分なスペース内または外壁面に添って配置されているのが好ましい。このようにすれば、２本の長尺状補強部材がケーブル収納アセンブリの形状のバランスを不必要に崩すことを防止できる。
【００１４】
１本以上の長尺状補強部材は、絶縁樹脂またはゴム製の中空部材から構成することができる。なお絶縁樹脂としては、ポリウレタンやナイロンを用いるのが好ましい。長尺状補強部材がホースのように中空部材であれば、長尺状補強部材をケーブルキャリア内に配置した場合でも、またケーブルキャリアの外壁面に添って配置した場合でも、長尺状補強部材の存在がケーブルキャリアの曲がりに対して大きな抵抗となることがない。
【００１５】
前記１本以上の長尺状補強部材は、ケーブルの被覆材料と同種類の材料によって形成されているのが好ましい。このようにすると余分なスペース内に長尺状補強部材を配置しても、長尺状補強部材とケーブルの被覆材料とが、化学反応を起こして両者が融着することを防止できる。
【００１６】
１本以上の長尺状補強部材が、ケーブルキャリアの外壁面に添って配置されている場合には、１本以上の長尺状補強部材としては、金属製の板バネ若しくは金属線材の撚り線または絶縁樹脂製の板バネまたは樹脂線材の撚り線を用いることができる。特に板バネを用いると、長尺状補強部材の存在が邪魔になることを防止できる。ケーブルキャリアの外壁面に沿って長尺状補強部材を配置する場合には、ケーブルキャリアを構成する複数のケーブル収納ユニットの外壁に長尺状補強部材を係止する係止片をそれぞれ設けておけばよい。この係止片としては、曲がる長尺状部材の反発力を抑えこむよう長尺状補強部材を係止する形状のものを用いるのが好ましい。
【００１７】
１本以上の長尺状補強部材が、内部に流体を充填することが可能な中空部材からなる場合には、中空部材への流体（通常エア）の充填量を調整する充填量調整装置を更に設けるのが好ましい。このような構成を採用すると、ケーブルキャリアが長期に使用されて発生する弛みを、弛みが発生する前の状態に戻すように充填量調整装置を用いて充填量を調整すればよい。
【００１８】
本発明のケーブル収納アセンブリの修復方法では、ケーブルキャリア内の連続ケーブル収納スペースの内壁とケーブルの束との間に形成される余分なスペース内にまたはケーブルキャリアの外壁面に添って、屈曲性と弾力性を有する１本以上の長尺状補強部材を、ケーブルキャリアに発生する弛みを元の状態に戻すように配置する。本発明の修復方法によれば、短い時間で簡単に且つ安価にケーブルキャリアの弛みを修復することができる。
【図面の簡単な説明】
【００１９】
【図１】（Ａ）及び（Ｂ）は、本発明のケーブル収納アセンブリの第１の実施の形態の斜視図及び一部拡大斜視図である。
【図２】第１の実施の形態のケーブル収納アセンブリの横断面図である。
【図３】（Ａ）は正常な状態における従来のケーブル収納アセンブリを横向きで使用しているときの図であり、（Ｂ）は横向きで長期間使用された結果、弛みが発生したケーブル収納アセンブリである。
【図４】（Ａ）は正常な状態における従来のケーブル収納アセンブリを縦向きで使用しているときの図であり、（Ｂ）は縦向き長期間使用された結果、弛みが発生したケーブル収納アセンブリの図である。
【図５】（Ａ）乃至（Ｆ）は、１本以上の長尺状補強部材をスペース内に挿入する場合の配置状態の例を示している。
【図６】（Ａ）及び（Ｂ）は、本発明のケーブル収納アセンブリの第２の実施の形態の斜視図及び一部拡大斜視図である。
【図７】第２の実施の形態のケーブル収納アセンブリの横断面図である。
【図８】（Ａ）及び（Ｂ）は、本発明のケーブル収納アセンブリの第３の実施の形態の斜視図及び一部拡大斜視図である。
【図９】第３の実施の形態のケーブル収納アセンブリの横断面図である。
【発明を実施するための形態】
【００２０】
以下図面を参照して本発明の実施の形態を詳細に説明する。
【００２１】
（第１の実施の形態）
図１（Ａ）及び（Ｂ）は、本発明のケーブル収納アセンブリの第１の実施の形態の斜視図及び一部拡大斜視図を示している。図２は、第１の実施の形態のケーブル収納アセンブリの横断面図である。本実施の形態のケーブル収納アセンブリ１は、屈曲性のあるケーブルキャリア３と、ケーブルキャリア３に収納されたケーブルの束５とからなる。ケーブルキャリア３は、内部にケーブル収納部７が形成された複数のケーブル収納ユニット９が、それぞれ関節軸１１を中心に揺動自在に連結され、連結された複数のケーブル収納ユニット９内の複数のケーブル収納部７が連通して連続ケーブル収納スペース１２が形成された構造を有する。ケーブルの束５は、ケーブルキャリア３の連続ケーブル収納スペース１２内に収納されている。
【００２２】
本実施の形態においては、ケーブルキャリア３内の連続ケーブル収納スペース１２を囲む内壁面３ＡとケーブルＣの束５との間に形成される余分なスペースＳ内に屈曲性と弾力性を有する１本以上の長尺状補強部材１３（本実施の形態では１本）を、ケーブルキャリア３に発生する弛みを元の状態に戻すように配置する。なお本願明細書において、「ケーブル」には、電気ケーブルだけでなくエアーを供給するエアーパイプも含まれる。またケーブルＣの束とは、複数のケーブルの集合物であって、紐等の結束具で結束されていても、また結束されていなくてもよい。
【００２３】
本実施の形態で用いるケーブルキャリア３は市販品であり、例えば、イグス株式会社が３５００．０７５．１２５．０．４３．３０７５．３４ＰＺの製品名で販売するものを用いている。この市販のケーブルキャリア３は、ケーブル収納ユニット９の内部が仕切り壁１０によって２つの空間に仕切られている。なお仕切り壁１０は、必須の構成要素ではない。
【００２４】
また本実施の形態では、１本以上の長尺状補強部材１３の弾性力は、ケーブルキャリア３が長期に使用されて発生する弛みを、弛みが発生する前の状態に戻すように定められたものを用いている。
【００２５】
本実施の形態では、１本以上の長尺状補強部材１３として、ＳＭＣ株式会社がＴＵ１６１０Ｂ−２０の製品名で販売する直径φ１６、厚み３ｍｍのホースを用いている。一般的に言えば、１本以上の長尺状補強部材１３としては、絶縁樹脂またはゴム製の中空部材から構成されたホースを用いることができる。なお絶縁樹脂としては、ポリウレタンやナイロンを用いるのが好ましい。長尺状補強部材１３がホースのように中空部材であれば、長尺状補強部材をケーブルキャリア内に配置した場合でも、また後述するようにケーブルキャリア３の外壁面に添って配置した場合でも、長尺状補強部材１３の存在がケーブルキャリアの曲がりに対して大きな抵抗となることがない。
【００２６】
１本以上の長尺状補強部材３の長手方向と直交する方向の断面の輪郭形状は任意であり、円形、楕円形、三角形、矩形等なんでもよい。また１本以上の長尺状補強部材１３は、ケーブルＣの被覆材料と同種類の材料によって形成されているのが好ましい。このようにすると余分なスペースＳ内に長尺状補強部材１３を配置しても、長尺状補強部材１３とケーブルＣの被覆材料とが、化学反応を起こして両者が融着することを防止できる。
【００２７】
図３（Ａ）は、正常な状態における従来のケーブル収納アセンブリ１´を横向きで使用しているときの図であり、図３（Ｂ）は横向きで長期間使用された結果、弛みが発生したケーブル収納アセンブリ１´の図を示している。図４（Ａ）は、正常な状態における従来のケーブル収納アセンブリ１´を縦向きで使用しているときの図であり、図４（Ｂ）は縦向き長期間使用された結果、弛みが発生したケーブル収納アセンブリ１´の図を示している。この図から判るように、市販のケーブルキャリアを用いたケーブル収納アセンブリ１´では、弛みが発生することが多い。そこで本実施の形態のように、１本以上の長尺状補強部材１３をスペースＳ内に挿入すると、１本以上の長尺状補強部材１３の弾力性により、ケーブルキャリア３に発生する弛みを元の状態に戻すことができるので、長期にわたって使用してもケーブルキャリア３を交換する必要がない。
【００２８】
なお新規のケーブル収納アセンブリ１のケーブルキャリア３に対して予防的に適用してもよいが、長期の使用によりケーブルキャリア３に発生した弛みを修復するために事後的に適用してもよいのは勿論である。
【００２９】
図５（Ａ）乃至（Ｆ）は、１本以上の長尺状補強部材１３をスペースＳ内に挿入する場合の配置状態の例を示している。図５（Ａ）の例では、１本の以上の長尺状補強部材１３が、余分なスペースＳの長手方向に延びる仮想中心線に全体的に沿い、両端がケーブルキャリア３の両端からでるように配置されている。図５（Ｂ）の例では、１本以上の長尺状補強部材１３が、余分なスペースＳの長手方向に延びる仮想中心線に沿い且つ一端がケーブルキャリア３から出るように配置されている。図５（Ｃ）の例では、１本以上の長尺状補強部材１３が、余分なスペースＳの長手方向に延びる仮想中心線に沿い且つ他端がケーブルキャリア３から出るように配置されている。図５（Ｄ）の例では、１本以上の長尺状補強部材１３が、余分なスペースＳの長手方向に延びる仮想中心線に沿い且つ一端がケーブルキャリア３から出て、他端がスペースＳ内の途中まで延びるように配置されている。図５（Ｅ）の例では、１本以上の長尺状補強部材１３が、余分なスペースＳの長手方向に延びる仮想中心線に沿い且つ両端がケーブルキャリア３から出ないように配置されている。図５（Ｆ）の例では、２本の長尺状補強部材１３Ａ及び１３Ｂが、余分なスペースＳの長手方向に延びる仮想中心線に沿い且つ両端がケーブルキャリア３の端部から出て他端がケーブルキャリア３の途中まで延びるように配置されている。いずれの場合でも、１本以上の長尺状補強部材１３は、弛みが発生するのを阻止できる位置に配置される。
【００３０】
１本以上の長尺状補強部材１３は、その機能（弛みを前の状態に戻すという機能）の点からみれば、ケーブルキャリアの長手方向に非拘束状態で余分なスペース内に配置されていてもよいし、１本以上の長尺状補強部材の一部がケーブルキャリア３の内壁面３Ａに固定されたり、ケーブルＣの束５に固定されていてもよい。なお市販のケーブル収納ユニット９は、周壁の一部に開閉壁部分を有しているので、長尺状補強部材１３の固定作業はこの開閉壁部分を開状態にして、そこから挿入することにより簡単に行うことができる。
【００３１】
なお図１及び図２の実施の形態のように、１本の長尺状補強部材１３を用いる場合には、１本の長尺状補強部材１３は、余分なスペースの長手方向に延びる仮想中心線に沿って配置されているのが好ましい。このようにすれば、１本の長尺状補強部材１３がケーブル収納アセンブリ１の形状のバランスを不必要に崩すことを防止できる。
【００３２】
（第２の実施の形態）
図６（Ａ）及び（Ｂ）は、本発明のケーブル収納アセンブリの第２の実施の形態の斜視図及び一部拡大斜視図を示している。図７は、第２の実施の形態のケーブル収納アセンブリの横断面図である。第２の実施の形態では、２本の長尺状補強部材１３が、余分なスペースＳの長手方向に延びる仮想中心線を含み且つ弛みが発生する方向に延びる仮想平面ＰＳに対して対称的な関係になるように、スペースＳの内部に配置されている。２本の長尺状補強部材１３をこのように配置すると、ケーブル収納アセンブリ１の形状のバランスを不必要に崩すことを防止できる。
【００３３】
（第３の実施の形態）
図８（Ａ）及び（Ｂ）は、本発明のケーブル収納アセンブリの第３の実施の形態の斜視図及び一部拡大斜視図を示している。図９は、第３の実施の形態のケーブル収納アセンブリの横断面図である。第３の実施の形態では、２本の長尺状補強部材１３が、余分なスペースＳの長手方向に延びる仮想中心線を含み且つ弛みが発生する方向に延びる仮想平面ＰＳに対して対称的な関係になるように、ケーブルキャリア３の外壁面３Ｂに添って配置されている。本実施の形態では、複数のケーブル収納ユニット９の仮想平面ＰＳに対して対称的な位置にある一対の外側面９Ｂにはそれぞれフック状の係止片１４が設けられている。この係止片１４としては、曲がる長尺状補強部材１３の反発力を抑えこむよう長尺状補強部材１３を係止する形状のものを用いるのが好ましい。本実施の形態で用いる係止片１４は、湾曲する長尺状補強部材１３を受け入れて支持する向きに曲がった形状を有しており、２本の長尺状補強部材１３がケーブル収納アセンブリ１の形状のバランスを不必要に崩すことを防止している。
【００３４】
１本以上の長尺状補強部材１３が、ケーブルキャリア３の外壁面に添って配置されている場合には、１本以上の長尺状補強部材１３としては、金属製の板バネ若しくは金属線材の撚り線または絶縁樹脂製の板バネまたは樹脂線材の撚り線を用いることができる。特に板バネを用いると、長尺状補強部材の存在が邪魔になることを防止できる。
【００３５】
（その他）
１本以上の長尺状補強部材１３が、内部に流体を充填することが可能な中空部材からなる場合には、中空部材への流体（通常エア）の充填量を調整する充填量調整装置を更に設けるのが好ましい。このような構成を採用すると、ケーブルキャリアが長期に使用されて発生する弛みを、弛みが発生する前の状態に戻すように充填量調整装置を用いて充填量を調整すればよい。また充填量調整装置を常時させて、ケーブルキャリア３の曲がり方に応じて流体の圧力を調整するようにしてもよい。例えば、ケーブルキャリア３を延ばす際には、流体の圧力を高め、ケーブルキャリア３を戻す際には流体の圧力を下げるようにすると、弛みの発生を防止して、しかもケーブルキャリア３が周囲の機材に当たって騒音が発生するのを防止できる。
【００３６】
（修復方法）
長期間使用されたケーブル収納アセンブリに弛みが発生した場合は、ケーブル収納アセンブリの修復方法では、ケーブルキャリア３内の連続ケーブル収納スペース１２を囲む内壁面とケーブルの束５との間に形成される余分なスペースＳ内にまたはケーブルキャリア３の外壁面に添って、屈曲性と弾力性を有する１本以上の長尺状補強部材を、ケーブルキャリアに発生する弛みを元の状態に戻すように配置する。この修復方法によれば、短い時間で簡単に且つ安価にケーブルキャリアの弛みを修復することができる。
【産業上の利用可能性】
【００３７】
本発明によれば、１本以上の長尺状補強部材の弾力性により、ケーブルキャリアに発生する弛みを元の状態に戻すことができるので、長期にわたって使用してもケーブルキャリアを交換する必要がない。また本発明は、新規のケーブル収納アセンブリのケーブルキャリアに対して予防的に適用してもよいが、長期の使用によりケーブルキャリアに発生した弛みを修復するために事後的に適用してもよい。
【符号の説明】
【００３８】
１  ケーブル収納アセンブリ
３  ケーブルキャリア
５  ケーブルの束
７  ケーブル収納部
９  ケーブル収納ユニット
１１  関節軸
１２  連続ケーブル収納スペース
１３  長尺状補強部材
１４  係止片
【図１】
2019071747.tif 000003
【図２】
2019071747.tif 000004
【図３】
2019071747.tif 000005
【図４】
2019071747.tif 000006
【図５】
2019071747.tif 000007
【図６】
2019071747.tif 000008
【図７】
2019071747.tif 000009
【図８】
2019071747.tif 000010
【図９】
2019071747.tif 000011